(57)【要約】【課題】排水性や止水性を一定にできる排水ソケット及び排水ソケットを備えた便器を提供する。【解決手段】便器８０の排水管部８３に接続される第１接続部１１と、床面または壁面に設けられた排水配管Ｔに接続される第２接続部１２と、前記第１接続部１１と前記第２接続部１２との間に設けられた排水路１３と、を有する排水ソケット１０，１００であって、ソケット本体３０と前記ソケット本体３０に着脱自在な取付部品５０とを備え、前記ソケット本体３０は、前記第２接続部１２と、前記排水路１３と、前記取付部品５０が取り付けられていない状態において前記第１接続部１１を構成する本体端部３２と、を有し、前記取付部品５０は、前記本体端部３２に着脱自在な第１端部５１と、前記第１端部５１が前記本体端部３２に取り付けられた状態において前記第１端部５１より上側に位置し前記第１接続部１１を構成する第２端部５２と、を有する。【選択図】図４
2020197004.tif 000002
【特許請求の範囲】
【請求項１】
便器の排水管部に接続される第１接続部と、床面または壁面に設けられた排水配管に接続される第２接続部と、前記第１接続部と前記第２接続部との間に設けられた排水路と、を有する排水ソケットであって、
ソケット本体と前記ソケット本体に着脱自在な取付部品とを備え、
前記ソケット本体は、前記第２接続部と、前記排水路と、前記取付部品が取り付けられていない状態において前記第１接続部を構成する本体端部と、を有し、
前記取付部品は、前記本体端部に着脱自在な第１端部と、前記第１端部が前記本体端部に取り付けられた状態において前記第１端部より上側に位置し前記第１接続部を構成する第２端部とを有する排水ソケット。
【請求項２】
前記第２接続部が、壁面に設けられた前記排水配管に連結されるものであり、
前記ソケット本体の高さ位置を調整する高さ調整部を備えている請求項１に記載の排水ソケット。
【請求項３】
前記ソケット本体が、前記本体端部の下流側に絞り部を有し、
前記取付部品が、前記第２端部の下流側に絞り部を有する請求項１又は請求項２に記載の排水ソケット。
【請求項４】
前記ソケット本体の絞り部と、前記取付部品の絞り部とが同形状である請求項３に記載の排水ソケット。
【請求項５】
前記取付部品が、前記本体端部の絞り部の内側に挿入される挿入部を有し、前記本体端部に前記挿入部が挿入された状態では前記本体端部の壁面と前記挿入部の壁面とが揃った状態になる請求項１から請求項４のいずれか一項に記載の排水ソケット。
【請求項６】
便器の排水管部を有する便器と、
請求項１から請求項５のいずれか一項に記載の排水ソケットと、
を備えている排水ソケットを備えた便器。
【発明の詳細な説明】
【技術分野】
【０００１】
本発明は、排水ソケット及び排水ソケットを備えた便器に関する。
【背景技術】
【０００２】
従来、便器の排水管部と、床面や壁面などに設けられた排水配管とを連結する排水ソケットが知られている。例えば下記特許文献１に記載された排水ソケットは、排水ソケット本体と、排水ソケット本体の高さ位置を調整する高さ調整部とを備えている。排水ソケット本体は、便器の排水管部が挿入される第１接続部と、壁面の排水配管に挿入される第２接続部とを有している。高さ調整部は、壁面の排水配管と第２接続部とがほぼ同じ高さになるように、排水ソケット本体の高さ位置を上下に調整する。壁面の排水配管の位置が高いほど第１接続部は上方に位置するため、便器の排水管部が深く第１接続部に入り込む。壁面の排水配管の位置が低いほど、第１接続部が下方に位置するため、便器の排水管部が浅く第１接続部に入り込む。
【先行技術文献】
【特許文献】
【０００３】
【特許文献１】特開２００８−２４０２４７号公報
【発明の概要】
【発明が解決しようとする課題】
【０００４】
しかしながら、上記のような構成では、排水性や止水性を一定にすることが難しいという問題がある。なぜなら便器の排水管部と排水ソケット本体の第１接続部との嵌合深さが大きい場合には、排水流路が狭くなって流れやすさが低下する虞があり、嵌合深さが小さい場合には、便器の排水管部と第１接続部との間の止水性を確保できない虞があるからである。このような構成の排水ソケットを用いて排水性や止水性を一定にするためには、壁面の排水配管の高さ位置に応じて、排水管部の高さ位置が異なる便器を用意する必要がある。
【０００５】
本発明は上記のような事情に基づいて完成されたものであって、排水性や止水性を一定にできる排水ソケット及び排水ソケットを備えた便器を提供することを目的とする。
【課題を解決するための手段】
【０００６】
本発明の排水ソケットは、便器の排水管部に接続される第１接続部と、床面または壁面に設けられた排水配管に接続される第２接続部と、前記第１接続部と前記第２接続部との間に設けられた排水路と、を有する排水ソケットであって、ソケット本体と前記ソケット本体に着脱自在な取付部品とを備え、前記ソケット本体は、前記第２接続部と、前記排水路と、前記取付部品が取り付けられていない状態において前記第１接続部を構成する本体端部と、を有し、前記取付部品は、前記本体端部に着脱自在な第１端部と、前記第１端部が前記本体端部に取り付けられた状態において前記第１端部より上側に位置し前記第１接続部を構成する第２端部とを有するものである。
本発明の排水ソケットを備えた便器は、便器の排水管部を有する便器と、前記排水ソケットと、を備えているものである。
【発明の効果】
【０００７】
本発明によれば、ソケット本体に取付部品を取り付けた場合は、ソケット本体のみである場合に比べて第１接続部の位置が高くなる。したがって、取付部品の有無により、便器の排水管部と第１接続部との嵌合深さを一定にできるから、排水管部の高さ位置が異なる便器を用意することなく、排水性や止水性を一定にできる。
【図面の簡単な説明】
【０００８】
【図１】実施例１における排水ソケットであって、便器排水管部と、排水配管とを連結した状態を示す断面図
【図２】便器排水管部と排水配管とを連結した状態の排水ソケットを示す断面図
【図３】便器排水管部と図２よりも高い位置に設けられた排水配管とを連結した状態の排水ソケットを示す断面図
【図４】排水ソケットを示す分解斜視図
【図５】ソケット本体を示す平面図
【図６】ソケット本体を示す断面図であって、図３のＡ−Ａ位置における断面に相当する断面図
【図７】取付部品を示す斜視図
【図８】取付部品を示す平面図
【図９】取付部品が取り付けられた状態の排水ソケットを示す斜視図
【図１０】取付部品が取り付けられた状態の排水ソケットを示す断面図
【図１１】実施例２における排水ソケットのソケット本体を示す断面図
【図１２】ソケット本体を示す断面図であって、図１１のＢ−Ｂ位置における断面に相当する断面図
【発明を実施するための形態】
【０００９】
本発明の好ましい形態を以下に示す。
本発明の排水ソケットは、前記第２接続部が、壁面に設けられた前記排水配管に連結されるものであり、前記ソケット本体の高さ位置を調整する高さ調整部を備えているものとしてもよい。一般に、壁面排水の場合、排水高さ（排水配管の高さ位置）には数パターンがある。本発明の構成によれば、排水高さが異なる数パターンに対し、高さ調整部により、壁面に設けられた排水配管の高さ位置と第２接続部との高さ位置を合わせることができる。また取付部品の有無により、便器の排水管部と第１接続部との嵌合深さを一定にできる。したがって、排水管部の高さ位置が異なる便器を用意することなく、排水性や止水性を一定にできる。
【００１０】
また、本発明の排水ソケットは、前記ソケット本体が、前記本体端部の下流側に絞り部を有し、前記取付部品が、前記第２端部の下流側に絞り部を有するものとしてもよい。このような構成によれば、取付部品の有無にかかわらず、絞り部に水が溜まってサイホン作用が発生するから、排水性能を高めることができる。
【００１１】
また、本発明の排水ソケットは、前記ソケット本体の絞り部と、前記取付部品の絞り部とが同形状であるものとしてもよい。このような構成によれば、取付部品の有無にかかわらず、サイホン力の強さが同等になるから、排水性能の安定を図ることができる。
【００１２】
また、本発明の排水ソケットは、前記取付部品が、前記本体端部の絞り部の内側に挿入される挿入部を有し、前記本体端部に前記挿入部が挿入された状態では前記本体端部の壁面と前記挿入部の壁面とが揃った状態になるものとしてもよい。ここで、ソケット本体に取付部品を取り付けた状態において、ソケット本体の絞り部の段差がそのまま残存していると、紙等が絞り部に引っ掛かりやすい。しかしながら、本発明の構成によれば、ソケット本体の絞り部の内側に取付部品の挿入部が挿入されて、ソケット本体の絞り部の段差がなくなるから、絞り部に紙類を引っ掛かりにくくできる。
【００１３】
＜実施例１＞
以下、本発明を具体化した実施例１について、図１〜図１０を参照しつつ詳細に説明する。
本実施例における排水ソケット１０は、便器８０の排水管部（便器排水管部８３と称する。）と、壁面に設けられた排水配管Ｔとを連結する壁排水用の排水ソケットである。以下、各構成部材において、便器８０に通常の姿勢で座る人の向きを基準とし、壁面側（図１の左側）を後方、その反対側（図１の右側）を前方、図１の上側を上方、図１の下側を下方として説明する。また、図１の紙面に垂直な方向の手前側を右方、図１の紙面に垂直な方向の奥側を左方として説明する。
【００１４】
便器８０は、便鉢部８１と、便鉢部８１の底部から後方に向かって延びる便器排水路８２とを有している。便器排水路８２は、便鉢部８１の底部から斜め上方に延びた後、下方に延び、その下流端において鉛直方向下向きに開口している。便器排水路８２の下流端は便器排水管部８３に形成されている。便器排水管部８３は、円筒形状をなし、便器８０の後端部において鉛直方向下向きに突出している。
【００１５】
排水ソケット１０は、図１に示すように、便器排水管部８３に接続される第１接続部１１と、排水配管Ｔに接続される第２接続部１２と、第１接続部１１と第２接続部１２との間に設けられた排水路１３と、を有している。
【００１６】
第１接続部１１は上下両側に開口した円筒状をなしている。第１接続部１１の内部には、上方から便器排水管部８３が挿入される。第１接続部１１の外周面は、パッキン６０が装着されるパッキン装着面１４である。パッキン装着面１４にはパッキン６０に係止する係止部１５が突設されている。係止部１５は、第１接続部１１の全周に連続している。
【００１７】
パッキン６０は、図２に示すように、パッキン装着面１４に外嵌するパッキン本体部６１と、パッキン本体部６１の上端から内側に突出するシール部６２とを有している。シール部６２は環状をなし、便器排水管部８３の全周に密着する。
【００１８】
第１接続部１１の下流側には、略水平な段差面１６が形成されている。段差面１６は、図５に示すように、第１接続部１１の全周に形成された環状をなしている。段差面１６は、第１接続部１１の左右両側に位置する側段差面１６Ａと、第１接続部１１の前側に位置する前段差面１６Ｂと、第１接続部１１の後側に位置する後段差面１６Ｃとを有している。左右の側段差面１６Ａ及び前段差面１６Ｂの幅寸法（内外方向の寸法）は概ね一定である。後段差面１６Ｃの幅寸法は、左右の側段差面１６Ａ及び前段差面１６Ｂの幅寸法より小さい寸法である。
【００１９】
段差面１６の内周縁１７は、前後方向に延びる左右一対の側縁１７Ａと、一対の側縁１７Ａの前端を左右方向に連結する前縁１７Ｂと、一対の側縁１７Ａの後端を左右方向に連結する後縁１７Ｃとを有している。一対の側縁１７Ａは、略平行をなし、前後方向に直線状に延びている。前縁１７Ｂは、前方に凹んだ円弧形状をなして湾曲している。後縁１７Ｃは、前縁１７Ｂより大きい半径の後方に凹んだ円弧形状をなして湾曲している。
【００２０】
排水路１３は、図３に示すように、下降部１８と、曲がり部１９と、上昇部２１とを有している。下降部１８は、排水路１３の上流端部に設けられ、概ね鉛直方向上方に向けて開口している。曲がり部１９は、下降部１８の下流側に連続し、排水路１３の後方に向かって曲がっている。上昇部２１は、排水路１３の下端部から後方に向かって斜め上方に延びている。
【００２１】
排水路１３の上面（排水路上面２２と称する。）のうち曲がり部１９は、最も低い位置に配される上面最下部２３である。排水路１３の下面（排水路下面２４と称する。）のうち曲がり部１９から上昇部２１に転換する部分は、最も低い位置に配される下面最下部２５である。上面最下部２３と下面最下部２５とは前後方向の位置が概ね揃っている。
【００２２】
図２に示すように、上面最下部２３の垂直下方における水深Ｈ１は、上面最下部２３における水面から上面最下部２３までの高さ寸法Ｈ２と概ね同等である。水深Ｈ１に比べて高さ寸法Ｈ２が大きすぎるとサイホン現象が発生しにくくなるところ、Ｈ１：Ｈ２＝１：１とすることでそのような事態を防いでいる。
【００２３】
上面最下部２３における排水路１３の断面形状（図３のＡ−Ａ位置における断面形状）は、図６に示すように、排水路上面２２が左右方向の全幅にわたり上向きに凹んだ湾曲をなしている。排水路１３の左右両側面（排水路側面２６と称する。）は、概ね鉛直に立っている。排水路上面２２と排水路側面２６とが交差する上端角部２７は、直角より大きい角度をなしている。排水路下面２４は左右方向の全幅にわたり下向きに凹んだ湾曲をなしている。排水路下面２４は、排水路上面２２より小さい半径で湾曲している。排水路下面２４の左右両端部は排水路側面２６の下端に連なっている。
【００２４】
第２接続部１２は、円筒形状をなし、わずかに下方に傾斜し、水平方向に開口している（図２参照）。第２接続部１２は、排水路１３の下流端（上昇部２１の下流端）に連続している。第２接続部１２の外周面にはパッキンＰが装着されている。パッキンＰは、排水配管Ｔの内周面に密着する。
【００２５】
このような構成の排水ソケット１０は、図４に示すように、ソケット本体３０と、ソケット本体３０に着脱自在な取付部品５０とを備えている。
ソケット本体３０は、第２接続部１２と、排水路１３と、取付部品５０が取り付けられていない状態において第１接続部１１を構成する本体端部３２と、を有している。本体端部３２は、上下両側に開口した円筒状をなしている。本体端部３２の外周面は、パッキン６０が装着されるパッキン装着面１４である。本体端部３２の下端には、鍔部３１が突出している。
【００２６】
ソケット本体３０は、本体端部３２の下流側に絞り部（本体絞り部３３と称する。）を有している。本体絞り部３３には段差面１６が形成されている。
【００２７】
排水路１３の上流端部は、段差面１６の内周縁１７から下方に延出する鉛直部３４を有している。鉛直部３４は、上流端から下流端まで流路面積が概ね一定である。すなわち鉛直部３４は、上方からの平面視では、図５に示すように、段差面１６の内周縁１７と同形状をなしている。
【００２８】
排水路１３の鉛直部３４の下流側には、排水路１３の中心に向かって斜めに下がる傾斜面３６が設けられている。傾斜面３６は、図３に示すように、後段差面１６Ｃの下方に形成されている。傾斜面３６は、下方に向かって緩やかに湾曲している。傾斜面３６は、上方からの平面視では、図５に示すように、後縁１７Ｃの半径より大きい半径で湾曲している。傾斜面３６は、左右方向における中心が、左右方向両側より、後縁１７Ｃから前方に大きく突出している。
【００２９】
排水路１３の上流端部には、図３に示すように、左右の側段差面１６Ａ及び前段差面１６Ｂの下方に、排水路１３の中心側へ略水平に突出する第２段差面３７を有している。第２段差面３７の幅寸法（内外方向の寸法）は、図５に示すように、概ね一定である。第２段差面３７の幅寸法は、傾斜面３６の左右方向中心の幅寸法より小さい。第２段差面３７の突出端４２のうち左右両側の部分（棚側縁４２Ａと称する。）は、略平行をなして前後方向に直線状に延びている。第２段差面３７の突出端４２のうち前側の部分（前縁４２Ｂと称する。）は、前段差面１６Ｂの前縁１７Ｂと同心で前段差面１６Ｂの前縁１７Ｂより半径が小さい円弧形状をなしている。
【００３０】
図３に示すように、第２段差面３７の突出端４２から下方には、壁面３８が垂下している。壁面３８は、略鉛直に立っている。壁面３８の下端は、傾斜面３６の下端と同等の高さに位置している。
【００３１】
本体絞り部３３の下方には、排水路１３が連続している。排水路１３の上流端部には、前縁４２Ｂの下方に、排水路１３の中心側に張り出す傾斜壁面３９が設けられている。排水路１３の上流端部には、傾斜面３６及び棚側縁４２Ａの下方に、略鉛直をなす鉛直壁面４１が設けられている。
【００３２】
排水ソケット１０には、高さ調整部７０がそなえられている。高さ調整部７０は、ソケット本体３０の高さ位置を調整する。
高さ調整部７０は、図２及び図３に示すように、ソケット本体３０の下面から下方に突出した脚部７１と、床面に設置される台座部７２と、ソケット本体３０の高さ位置を固定する固定部７３とを有している。台座部７２は、上方に突出する台座筒部７４を有している。脚部７１は台座筒部７４に対し上下方向に移動自在である。固定部７３は、台座筒部７４に外嵌するリング状をなしている。固定部７３を一方向に回動すると、脚部７１と台座筒部７４とが固定される。固定部７３を他方向に回動すると、脚部７１の上下方向の移動が可能となる。高さ調整部７０による高さの調整量は、取付部品５０による高さの調整量よりも小さい。例えば高さ調整部７０による高さの調整量は±５ｍｍ程度であるのに対し、取付部品５０の有無による高さの調整量は、数１０ｍｍ程度に設定することができる。
【００３３】
取付部品５０は、図４に示すように、全体として円筒状をなしている。取付部品５０は、本体端部３２に着脱自在な第１端部５１と、第１端部５１が本体端部３２に取り付けられた状態において第１接続部１１を構成する第２端部５２とを有している。第１端部５１と第２端部５２とは、同軸で連続している。第２端部５２は、第１端部５１が本体端部３２に取り付けられた状態において第１端部５１より上側に位置する。
【００３４】
第２端部５２は、ソケット本体３０の本体端部３２と同形状をなしている。第２端部５２は、上下両側に開口した円筒状をなしている。第２端部５２の外周面はパッキン６０が装着されるパッキン装着面１４である。取付部品５０のパッキン装着面１４及び係止部１５は、ソケット本体３０のパッキン装着面１４及び係止部１５と同形状である。
【００３５】
第２端部５２の下流側には、図１０に示すように、排水路１３の上流端部と同形状をなすコピー部３５が設けられている。コピー部３５は、絞り部（部品絞り部５４と称する。）を有している。部品絞り部５４は、本体絞り部３３と同形状をなしている。すなわち部品絞り部５４には、段差面１６が形成されている。コピー部３５は、鉛直部３４と、傾斜面３６と、第２段差面３７及び壁面３８を有している。
【００３６】
第１端部５１は、図４及び図１０に示すように、本体端部３２の内側に嵌合する嵌合部５３を有している。嵌合部５３は、円筒形状をなし、第２端部５２の下端から下方に延出している。嵌合部５３は、パッキン装着面１４より一段内側に位置している。嵌合部５３は、本体端部３２の内周面に当接または近接して配される。
【００３７】
取付部品５０は、本体絞り部３３の内側に挿入される挿入部５５を有している。挿入部５５は、図１０に示すように、コピー部３５の下端から下方に延出する第１鉛直壁面５６及び第２鉛直壁面５７を有している。第１鉛直壁面５６及び第２鉛直壁面５７の下端は、嵌合部５３の下端より下方に位置している。
【００３８】
第１鉛直壁面５６は傾斜面３６の下端から下方に延びている。第１鉛直壁面５６の下端は、本体端部３２の傾斜面３６の下端に至る。第１鉛直壁面５６は、本体端部３２の傾斜面３６の内側を覆って略鉛直に立つ。第１鉛直壁面５６は、本体端部３２の傾斜面３６の下方の鉛直壁面４１に段差なく面一に連なる。
【００３９】
第２鉛直壁面５７は、コピー部３５の壁面３８の下方に連なっている。第２鉛直壁面５７は、本体端部３２の第２段差面３７の上側に嵌合する。第２鉛直壁面５７は、本体端部３２の壁面３８に面一に段差なく面一に連なる。
【００４０】
第１鉛直壁面５６と第２鉛直壁面５７との間にはスリット部５８が形成されている（図７参照）。第１鉛直壁面５６と第２鉛直壁面５７とはスリット部５８により切り離されている。スリット部５８により、挿入部５５の挿入時の本体端部３２との衝突を防ぐことができる。
【００４１】
次に、本実施例の排水ソケット１０の使用例を説明する。ここでは、排水ソケット１０を用いて、１種類の便器８０と高さ位置が異なる排水配管Ｔとを連結する場合を説明する。
【００４２】
まず、床面から排水配管Ｔの中心線までの高さ寸法Ｈ３が低い（１２０ｍｍ）場合について説明する（図２参照）。この場合、ソケット本体３０に取付部品５０を取り付ける。
【００４３】
取付部品５０の第１端部５１をソケット本体３０の本体端部３２に接続する。図１０に示すように、取付部品５０の第１端部５１をソケット本体３０の本体端部３２に上方から嵌め入れて接着剤で接合する。嵌合部５３が本体端部３２に内嵌し、挿入部５５が本体端部３２に挿入される。取付部品５０のコピー部３５は、ソケット本体３０の排水路１３の上流側に連通する。第２端部５２は、ソケット本体３０の本体端部３２の上側に位置する。第２端部５２と本体端部３２とは鉛直に連なる。こうしてソケット本体３０に取付部品５０を取り付ける作業が完了する。
【００４４】
次に、高さ調整部７０により排水ソケット１０の高さ位置を調整し、図２に示すように、排水ソケット１０の第２接続部１２と排水配管Ｔとを接続する。第２接続部１２と排水配管Ｔとを接続した後、第２端部５２のパッキン装着面１４にパッキン６０を装着する。
【００４５】
次に、便器排水管部８３を排水ソケット１０の第１接続部１１（取付部品５０の第２端部５２）に挿入する。便器排水管部８３の先端は、パッキン６０のシール部６２の下端より下方に突出する。パッキン６０のシール部６２は、便器排水管部８３の外周面に密着する。
以上により、排水ソケット１０を用いて排水配管Ｔと便器排水管部８３とを連結する作業が完了する。
【００４６】
次に、床面から排水配管Ｔの中心線までの高さ寸法Ｈ３が高い（１５５ｍｍ）場合について説明する（図３参照）。この場合、ソケット本体３０に取付部品５０を取り付けず、ソケット本体３０のみを用いる。
【００４７】
高さ調整部７０により排水ソケット１０の高さ位置を調整し、排水ソケット１０の第２接続部１２と排水配管Ｔとを接続する。ソケット本体３０の本体端部３２のパッキン装着面１４にパッキン６０を装着する。
【００４８】
次に、便器排水管部８３を排水ソケット１０の第１接続部１１（ソケット本体３０の本体端部３２）に挿入する。便器排水管部８３の先端は、パッキン６０のシール部６２の下端より下方に突出する。パッキン６０のシール部６２は、便器排水管部８３の外周面に密着する。以上により、排水ソケット１０を用いて排水配管Ｔと便器排水管部８３とを連結する作業が完了する。
【００４９】
図２及び図３に示すように、床面から排水配管Ｔの中心線までの高さ寸法Ｈ３が低い場合と高い場合とでは、便器排水管部８３の下端がパッキン６０のシール部６２の下端より下方に突出する寸法Ｈ４は、同等である。また、便器排水管部８３の下端から本体絞り部３３または部品絞り部５４までの高さ寸法Ｈ５は、同等である。
【００５０】
次に、上記のように構成された実施例の作用および効果について説明する。
本実施例の排水ソケット１０は、便器排水管部８３に接続される第１接続部１１と、排水配管Ｔに接続される第２接続部１２と、第１接続部１１と第２接続部１２との間に設けられた排水路１３と、を有している。排水ソケット１０は、ソケット本体３０と、ソケット本体３０に着脱自在な取付部品５０とを備えている。ソケット本体３０は、第２接続部１２と、排水路１３と、取付部品５０が取り付けられていない状態において第１接続部１１を構成する本体端部３２と、を有している。取付部品５０は、本体端部３２に着脱自在な第１端部５１と、第１端部５１が本体端部３２に取り付けられた状態において第１端部５１より上側に位置し第１接続部１１を構成する第２端部５２と、を有している。
【００５１】
この構成によれば、ソケット本体３０に取付部品５０を取り付けた場合は、ソケット本体３０のみである場合に比べて第１接続部１１の位置が高くなる。したがって、取付部品５０の有無により、便器排水管部８３と第１接続部１１との嵌合深さを一定にできるから、便器排水管部８３の高さ位置が異なる便器８０を用意することなく、排水性や止水性を一定にできる。
【００５２】
また、第２接続部１２が、排水配管Ｔに連結されるものであり、ソケット本体３０の高さ位置を調整する高さ調整部７０を備えている。一般に、壁面排水の場合、排水高さ（排水配管Ｔの高さ位置）には数パターンがある。本実施例の排水ソケット１０によれば、排水高さが異なる２パターンに対し、高さ調整部７０により、壁面に設けられた排水配管Ｔの高さ位置と第２接続部１２との高さ位置を合わせることができる。また取付部品５０の有無により、便器排水管部８３と第１接続部１１との嵌合深さを一定にできる。したがって、便器排水管部８３の高さ位置が異なる便器８０を用意することなく、排水性や止水性を一定にできる。
【００５３】
また、ソケット本体３０は、本体端部３２の下流側に本体絞り部３３を有する。取付部品５０は、第２端部５２の下流側に部品絞り部５４を有する。この構成によれば、取付部品５０の有無にかかわらず、本体絞り部３３又は部品絞り部５４に水が当たって跳ね返り、サイホン作用が発生するから、排水性能を高めることができる。
【００５４】
また、本体絞り部３３と、部品絞り部５４とが同形状である。この構成によれば、取付部品５０の有無にかかわらず、サイホン力の強さが同等になるから、排水性能の安定を図ることができる。
【００５５】
また、取付部品５０が、本体絞り部３３の内側に位置して排水路１３に段差なく続く挿入部５５を有する。ここで、ソケット本体３０に取付部品５０を取り付けた状態において、本体絞り部３３の段差がそのまま残存していると、紙等が本体絞り部３３に引っ掛かりやすい。しかしながら、本実施例の排水ソケット１０によれば、本体絞り部３３に取付部品５０の挿入部５５が挿入されるから、本体絞り部３３の段差がなくなり、本体絞り部３３に紙類を引っ掛かりにくくできる。
【００５６】
＜実施例２＞
次に、本発明を具体化した実施例２に係る排水ソケット１００を図１１及び図１２によって説明する。
本実施例の排水ソケット１００は、排水路１３の断面形状が実施例１とは相違する。なお、実施例１と同様の構成には同一符号を付して重複する説明を省略する。
【００５７】
本実施例の排水ソケット１００は、実施例１と同様、第１接続部１１と、第２接続部１２と、排水路１３とを有している。排水ソケット１００は、実施例１と同様、第２接続部１２及び排水路１３を有するソケット本体３０とソケット本体３０に着脱自在な取付部品５０とを備えている。なお、図１１及び図１２には、ソケット本体３０のみを示した。
【００５８】
排水路１３は、実施例１と同様、下降部１８と、曲がり部１９と、上昇部２１とを有している。排水路上面１０２における上面最下部１０８の垂直下方における水深Ｈ１は、実施例１と同様、上面最下部１０８における水面から上面最下部１０８までの高さ寸法Ｈ２と概ね同等である。
【００５９】
上面最下部１０８における排水路１３の断面形状は、図１２に示すように、略方形状をなしている。詳しくは、排水路上面１０２は左右方向の全幅にわたり概水平をなしている。排水路側面１０３は、概ね鉛直に立っている。排水路上面１０２と排水路側面１０３とが交差する上端角部１０４は、略直角をなしている。排水路下面１０５は左右方向の概ね全体が略水平をなしている。排水路下面１０５の左右両端部は、丸み形状をなす角部１０６を介して排水路側面１０３の下端に連なっている。このように排水路１３の断面形状が略方形をなしているから、実施例１記載の排水路１３と同等の幅寸法でありながら断面積を増すことができる。排水路１３の断面積が増すから、紙等を詰まりにくくできる。
【００６０】
排水路下面１０５において曲がり部１９から上昇部２１に転換する下面最下部１０７は、図１１に示すように、上面最下部１０８より後側にずれている。排水路下面１０５の下り傾斜部１０９は下面最下部１０７まで連続している。すなわち下り傾斜部１０９は、上面最下部１０８の真下の位置Ｄより後側まで連続している。これにより、下り傾斜部１０９の前後方向の断面形状において半径が大きくなり、紙等が曲がりやすくなっている。
【００６１】
排水路下面１０５の下面最下部１０７より下流側には、上り傾斜をなす上り傾斜部１１０が形成されている。上り傾斜部１１０は、円弧状に外方向に膨らんで湾曲して上る第１傾斜面１１１と、後端に向かって緩やかに上る第２傾斜面１１２とを有している。第１傾斜面１１１は、下面最下部１０７から第２接続部１２の上流端までの領域に形成されている。第２傾斜面１１２は、第２接続部１２の下面（第２接続部１２の上流端から下流端までの領域）に形成されている。第２傾斜面１１２は、第１傾斜面１１１の後端から連続している。これにより、下面最下部１０７の下流側で紙等が詰まりにくくされている。
【００６２】
以上のように本実施例の排水ソケット１００は、排水路１３の断面積や排水路１３の下り傾斜部１０９の半径が大きいため、紙等が曲がりやすい。また、下り傾斜部１０９の下流側には、第２接続部１２の下流端まで上り傾斜部１１０が連続しているから紙等がスムーズに排出される。したがって、排水ソケット１００の排水路１３において紙等が曲がりきれずに詰まってしまうことを防ぐことができる。
【００６３】
＜他の実施例＞
本発明は上記記述及び図面によって説明した実施例に限定されるものではなく、例えば次のような実施例も本発明の技術的範囲に含まれる。
（１）上記実施例では、壁排水用の排水ソケット１０（１００）に本発明を適用した場合を説明したが、これに限らず、本発明は、床排水用の排水ソケットにも適用できる。
（２）上記実施例では、１つの取付部品５０を排水ソケット１０（１００）に取り付ける場合を例示したが、これに限らず、２つ以上の取付部品を排水ソケットに取り付けてもよい。
（３）上記実施例では、１種類の取付部品５０のみを例示したが、これに限らず、軸方向の寸法が異なる複数種の取付部品を備えていてもよい。
（４）上記実施例では、高さ調整部７０の具体例を説明したが、高さ調整部の構造は変更できる。
（５）上記実施例では、排水ソケット１０（１００）が絞り部３３，５４を有しているが、必ずしも絞り部を有さなくても良い。
（６）上記実施例では、本体絞り部３３と部品絞り部５４とが同形状であるが、これに限らず、本体絞り部と部品絞り部とは同形状でなくてもよい。
（７）上記実施例では、取付部品５０が、挿入部５５を備えているが、これに限らず、取付部品は挿入部を備えていなくてもよい。
【符号の説明】
【００６４】
Ｔ…排水配管
１０，１００…排水ソケット
１１…第１接続部
１２…第２接続部
１３…排水路
３０…ソケット本体
３２…本体端部
３３…本体絞り部（ソケット本体の絞り部）
３８…壁面（本体端部の壁面）
４１…鉛直壁面（本体端部の壁面）
５０…取付部品
５１…第１端部
５２…第２端部
５４…部品絞り部（取付部品の絞り部）
５５…挿入部
５６…第１鉛直壁面（挿入部の壁面）
５７…第２鉛直壁面（挿入部の壁面）
７０…高さ調整部
８０…便器
８３…便器排水管部（便器の排水管部）
【図１】
2020197004.tif 000003
【図２】
2020197004.tif 000004
【図３】
2020197004.tif 000005
【図４】
2020197004.tif 000006
【図５】
2020197004.tif 000007
【図６】
2020197004.tif 000008
【図７】
2020197004.tif 000009
【図８】
2020197004.tif 000010
【図９】
2020197004.tif 000011
【図１０】
2020197004.tif 000012
【図１１】
2020197004.tif 000013
【図１２】
2020197004.tif 000014